(57)【要約】【課題】手間をかけずに発呼動作を行うことができると共に、通話中に携帯端末装置が備える各種アプリケーション中における情報を確認することができる携帯端末装置を提供すること。【解決手段】携帯電話機を折り畳んだ状態で電話帳を開いた後に電話機本体を開くと、電話帳内で指定した相手先に発呼して通話状態となり、通話途中で電話機本体を閉じると、他のアプリケーションを閲覧することができ、再び開くと、通話を継続することができる。【選択図】      図５
2004260617.tif 000002
【特許請求の範囲】
【請求項１】
少なくとも表示部を有する表示部側筐体と、少なくとも主操作部を有する操作部側筐体とが開閉可能に連結され、
前記主操作部は閉状態にて前記表示部側筐体により覆われ且つ開状態にて外側に露出すると共に、前記表示部の表示面は閉状態及び開状態のいずれの状態でも外側に露出させることが可能であって、
前記閉状態にて前記両筐体の互いに対向する面以外の面に少なくとも一つの補助的操作部を備える携帯端末装置において、
前記閉状態にて前記補助的操作部の操作により電話帳を起動させたあと、当該電話帳から発信先を選択した状態で前記両筐体を開いた状態としたとき、前記選択した発信先に発呼する手段と、
前記発信先との通話中に前記両筐体を閉じたとき、通話状態を維持すると共に、前記補助的操作部の操作によりアプリケーションを起動させる手段と、
前記アプリケーションの起動中又は終了後に前記両筐体を再度開いた状態としたとき、前記通話状態を維持する手段とを有することを特徴とする携帯端末装置。
【請求項２】
前記アプリケーションの起動中又は終了後に前記両筐体を再度開いた状態としたとき、前記表示部の表示画面を通話中の表示画面に切り換える手段を有することを特徴とする請求項１に記載の携帯端末装置。
【請求項３】
前記アプリケーションが、電話帳、メモ帳、スケジュール帳、メールの履歴のうちいずれか一つであることを特徴とする請求項１又は請求項２に記載の携帯端末装置。
【発明の詳細な説明】
【０００１】
【発明の属する技術分野】
本発明は、互いに重ね合わせ可能に連結された複数の筐体を有し、複数のアプリケーションと共に通話機能を備えた、携帯電話機やＰＤＡ（Ｐｅｒｓｏｎａｌ  Ｄｉｇｉｔａｌ  Ａｓｓｉｓｔａｎｔｓ）等の携帯端末装置に関するものである。
【０００２】
【従来の技術】
特許文献１には、サブ表示部を有する折り畳みタイプの携帯電話機において、サブ表示部に発信先を表示させ、折り畳んだ状態から開くと発呼するものが開示されている。
【０００３】
【特許文献１】
特開２００２−１９９４６３号公報
【０００４】
【発明が解決しようとする課題】
しかしながら、この種の折り畳み型携帯電話機において、サブ表示部はメイン表示部に比べて表示面積が小さいため、同一人物が複数の連絡先を有している場合などは利便性が悪いといった課題があった。
また、通話中に携帯電話機内のアプリケーションの中で確認したい情報があっても閲覧することができず、一度、電話を切ったあと、確認したい情報を閲覧し、再度電話をかけ直さなければならないといった不都合もあった。
また、このような課題は携帯電話機だけに限らず、通話機能を備えたＰＤＡ（Ｐｅｒｓｏｎａｌ  Ｄｉｇｉｔａｌ  Ａｓｓｉｓｔａｎｔｓ）等の携帯端末装置にも同様であった。
【０００５】
【発明の目的】
本発明の目的は、手間をかけずに発呼動作を行うことができると共に、通話中に携帯端末装置が備える各種アプリケーション中における情報を確認することが可能な携帯端末装置を提供することにある。
【０００６】
【課題を解決するための手段】
そこで、上記課題に鑑み、請求項１に係る発明は、少なくとも表示部を有する表示部側筐体と、少なくとも主操作部を有する操作部側筐体とが開閉可能に連結され、前記主操作部は閉状態にて前記表示部側筐体により覆われ且つ開状態にて外側に露出すると共に、前記表示部の表示面は閉状態及び開状態のいずれの状態でも外側に露出させることが可能であって、前記閉状態にて前記両筐体の互いに対向する面以外の面に少なくとも一つの補助的操作部を備える携帯端末装置において、前記閉状態にて前記補助的操作部の操作により電話帳を起動させたあと、当該電話帳から発信先を選択した状態で前記両筐体を開いた状態としたとき、前記選択した発信先に発呼する手段と、前記発信先との通話中に前記両筐体を閉じたとき、通話状態を維持すると共に、前記補助的操作部の操作によりアプリケーションを起動させる手段と、前記アプリケーションの起動中又は終了後に前記両筐体を再度開いた状態としたとき、前記通話状態を維持する手段とを有することを特徴とする。
請求項２に係る発明は、請求項１に記載の携帯端末装置において、前記アプリケーションの起動中又は終了後に前記両筐体を再度開いた状態としたとき、前記表示部の表示画面を通話中の表示画面に切り換える手段を有することを特徴とする。
請求項３に係る発明は、請求項１又は請求項２に記載の携帯端末装置において、
前記アプリケーションが、電話帳、メモ帳、スケジュール帳、メールの履歴のうちいずれか一つであることを特徴とする。
【０００７】
【発明の実施の形態】
以下、本発明の実施形態について説明する。
図１は本発明の携帯端末装置の一例である携帯電話機の閉状態を示す図で、（ａ）は正面図、（ｂ）は左側面図である。図２は本発明の携帯端末装置の一例である携帯電話機の開状態を示す図で、（ａ）は正面図、（ｂ）は背面図である。図３は本発明の携帯端末装置の一例である携帯電話機の開状態を示す図で、（ａ）は左側面図、（ｂ）は右側面図である。
【０００８】
図１及び図２に示すように、この携帯電話機１００は、表示部１０６を有する表示部側筐体１０１ａと、主操作部１０２を有する操作部側筐体１０１ｂとから構成され、両筐体１０１ａ，１０１ｂは重ねて配置され、表示部側筐体１０１ａが操作部側筐体１０１ｂの主操作部１０２を覆うようになっている。
両筐体１０１ａ，１０１ｂは、重ねた状態（「閉状態」ともいう）において、両筐体１０１ａ，１０１ｂの端部に備える軸１０４により連結されており、重ねた状態においても表示部１０６の表示面１０６ａを外側から見ることができるように、表示部側筐体１０１ａの操作部側筐体１０１ｂと反対側の面に表示部１０６を備えるとともに、重ねた状態でも各種アプリケーションを起動させることができるように、表示部側筐体１０１ａ及び操作部側筐体１０１ｂの側面には補助的操作部１０３を設けてある。
【０００９】
なお、１０７ａ，１０７ｂはそれぞれ表示部側筐体１０１ａの表示部１０６を有する面に設けられたスピーカーで、表示部１０６を挟んで上下に配置されており、また、１０８は操作部側筐体１０１ｂの主操作部１０２を有する面に設けられたマイク、１０５は操作部側筐体１０１ｂの端面に設けられたアンテナである。
そして、表示部側筐体１０１ａと操作部側筐体１０１ｂとが重ねられた状態から軸１０４を中心にして、表示部側筐体１０１ａを矢印Ａに示す方向に１８０度回動させることにより、図２及び図３に示すように、操作部側筐体１０１ｂに備える主操作部１０２が完全に外側に見える、開状態とすることができ、この時、表示部１０６は主操作部１０２と同じ方向を向いた状態で回動するため、開状態でも表示部１０６の表示面１０６ａを外側から見ることができるようになっている。
【００１０】
ただし、閉状態から表示部側筐体１０１ａを操作部側筐体１０１ｂに対して１８０度回動させた開状態とすると、表示画面の上下の向きが逆になるので、このようなときには表示画面の上下が１８０度反転して表示されるようになっている。
また、この携帯電話機１００は、開状態において表示部側筐体１０１ａを操作部側筐体１０１ｂに対して傾斜させた状態で配置するようになっており、例えば、表示部側筐体１０１ａの表示部１０６を有する面と反対側の面を操作部側筐体１０１ｂの主操作部１０２を有する面に対して０度より大きく、７０度以下の角度範囲θで傾斜させることで、例えば、通話時に表示部側筐体１０１ａのスピーカー１０７ｂをユーザーの耳元に近づければ、操作部側筐体１０１ｂのマイク１０８をユーザーの口元に近づけることができるようになっている。
【００１１】
なお、この携帯電話機１００では、表示部側筐体１０１ａが軸１０４を中心にして回動するような構成を示したが、これとは別の実施形態として、レール等を設けて図１に示した状態から表示部側筐体１０１ａを操作部側筐体１０１ｂに対して上方にスライドさせる構造や、表示部側筐体１０１ａと操作部側筐体１０１ｂとがボールジョイント等の連結部を介して連結され、折り畳み動作と捻り動作を共に行うことができる構造としたものであっても良く、このように少なくとも表示部を有する表示部側筐体と、少なくとも主操作部を有する操作部側筐体とが開閉可能に連結され、主操作部が閉状態にて前記表示部側筐体により覆われ且つ開状態にて外側に露出するとともに、表示部の表示面が閉状態及び開状態のいずれの状態でも外側に露出させることが可能な構造を有するものであれば構わない。
【００１２】
次に、主操作部１０２及び補助的操作部１０３について説明する。
主操作部１０２は、図２（ａ）に示すように、文字や数字の入力を行うテンキー１０２ｃ、表示面１０６ａに表示されている項目の選択、決定や表示面１０６ａのスクロール等を行う十字キー１０２ａ、及び各種設定項目を呼び出したり、発呼や終話、あるいは電源のＯＮ／ＯＦＦ等を行うファンクションキー１０２ｂ等からなる。
補助的操作部１０３は、図１（ｂ）に示すように、表示部側筐体１０１ａの側面に有するサイドキー１０３ｂと、操作部側筐体１０１ｂの側面に有する３方向レバー１０３ａとからなり、サイドキー１０３ｂは、携帯電話機１００が閉状態であって表示部１０６の表示面１０６ａが待ち受け画面である場合、その押下により携帯電話機１００が備えるアプリケーションの一つである電話帳を起動させ、
【００１３】
図５（ｂ）に示すような電話帳画面２０２を表示部１０６に表示させることができ、また、携帯電話機１００が閉状態であってアプリケーションが起動し、表示部１０６の表示面１０６ａに前記アプリケーションが表示されている場合、その押下により一つ前の表示画面に戻すことができるようになっている。
また、３方向レバー１０３ａは、矢印Ｂに示すように上下に移動させることにより表示面１０６ａに表示されている項目の選択や表示面１０６ａのスクロール等を行うことができ、また、押下することで決定ボタンとして機能するようになっている。
【００１４】
そして、図１に示すように、表示部側筐体１０１ａと操作部側筐体１０１ｂとが重ねられた閉状態では、主操作部１０２による操作ができないため、補助的操作部１０３の操作によって、各種アプリケーションを起動させることができるとともに、着信があった場合、通話することができるようにもなっている。
即ち、閉状態にて携帯電話機１００に着信があった場合、２つのスピーカー１０７ａ，１０７ｂより独立した着信音が放音され、補助的操作部１０３の３方向レバー１０３ａを押下すると着信音が止まり、スピーカー１０７ｂが不動作となるとともに、スピーカー１０７ａが受話スピーカーとなり、またマイク１０８が動作して通話を行うことができるようになっている。
【００１５】
また、図２に示すように、表示部側筐体１０１ａと操作部側筐体１０１ｂとが開いた状態では、主操作部１０２によって、各種アプリケーションを起動させることができるとともに、着信があった場合、通話することができるようになっている。
即ち、開状態にて携帯電話機１００に着信があった場合、２つのスピーカー１０７ａ，１０７ｂより独立した着信音が放音され、主操作部１０２のファンクションキー１０２ｂを押下すると着信音が止まり、スピーカー１０７ａが不動作となるとともに、スピーカー１０７ｂが受話スピーカーとなり、またマイク１０８が動作して通話を行うことができるようになっている。なお、開状態の時、誤動作を防止するために、３方向レバー１０３ａ及びサイドキー１０３ｂの操作は無効とするようになっている。
【００１６】
次に、本発明の携帯電話機１００における回路ブロック図について説明する。
制御部２３には、主操作部１０２、補助的操作部１０３、マイク１０８、スピーカー１０７ａ，１０７ｂ、表示部１０６、メモリ２６、アンテナ１０５に接続された無線部２１、両筐体１０１ａ，１０１ｂの開閉状態を検出する開閉検出部２５がそれぞれ接続されており、符号２２に示す各種アプリケーションは制御部２３の下で動作するようになっている。
【００１７】
制御部２３は、両筐体１０１ａ，１０１ｂが閉状態であって、表示部１０６の表示部１０６ａに、図５（ａ）に示すような待ち受け画面２０１が表示されている状態において、サイドキー１０３ｂが押下されると携帯電話機１００のアプリケーションの一つである電話帳を起動させ、表示部１０６の表示面１０６ａに、図５（ｂ）に示すような電話帳画面２０２を表示するよう制御するようになっている。
【００１８】
そして、表示部１０６ａに電話帳画面２０２が表示された状態で、３方向レバー１０３ａを矢印Ｂのように上下動させることにより、電話帳画面２０２に表示されている発信先を選択することができるようになっており、特定の発信先を選択した状態で３方向レバー１０３ａを押下すると、選択した発信先に発呼すると共に、表示部１０６の表示面１０６ａを電話帳画面２０２から図５（ｃ）に示す電話の発信画面２０３へ切り換えるようになっている。
【００１９】
なお、本発明において、発信先を選択するとは、図５（ｂ）に示すように、電話帳画面２０２に登録されている特定の発信先名の周囲の色を反転させている場合は勿論のこと、発信先の電話番号が表示されている場合であって、特定の発信先の電話番号の周囲の色を反転させている場合など、発呼すべき相手先を選択した状態のことをいう。
【００２０】
また、制御部２３は、両筐体１０１ａ，１０１ｂが開状態であって、前述のように、電話帳画面２０２より、３方向レバー１０３ａの操作によって特定の発信先を選択した状態で、両筐体１０１ａ，１０１ｂの開動作が行われ、開閉検出部２５で開状態を検出すると、前記選択した特定の発信先へ自動的に発信すると共に、表示部１０６の表示面１０６ａを電話帳画面２０２から図５（ｃ）に示す電話の発信画面２０３へ切り換えるよう制御するようになっている。
【００２１】
さらに、制御部２３は、発信先との通話が確立された通話状態の間であって、両筐体１０１ａ，１０１ｂを開状態から閉状態とすると、開閉検出部２５からの信号に基づき、通話を保留状態として通話回線を維持したまま表示部１０６の表示面１０６ａを、図５（ｅ）に示すメニュー画面２０５に切り換え、携帯電話機１００が備える各種アプリケーションを起動、操作することができるようになっている。即ち、３方向レバー１０３ａを上下動させてメニュー画面２０５から特定のアプリケーションを選択し、次いで３方向レバー１０３ａを押下することで選択したアプリケーションを起動させ、そのアプリケーションに対応する画面を表示部１０６に表示させ、通話中でもアプリケーション中の情報を閲覧することができるようになっている。
そして、アプリケーションの起動中又は終了後に、前記両筐体１０１ａ，１０１ｂを再度開状態とすれば、開閉検出部２５からの信号に基づき、保留状態を解除して電話を継続することができると共に、表示部１０６の表示面１０６ａを、図５（ｄ）に示すような通話中の表示画面２０４に切り換えるようになっている。
【００２２】
次に、本発明の携帯電話機１００の動作について図６乃至図８を基に説明する。
図６に示すように、携帯電話機１００の閉状態において、３方向レバー１０３ａを押下して（Ｓ５０１）表示面１０６ａにメニュー画面２０５を表示させる（Ｓ５０２）。メニュー画面２０５から電話帳機能が選択された場合、電話帳を起動させて表示部１０６に電話帳画面２０２を表示させる（Ｓ５０３）。そして、ユーザーが電話帳の登録データの中から発信先を一つ選択し（Ｓ５０５）、次いで携帯電話機１００を閉状態から開状態とすると（Ｓ５０７）、選択した発信先へ自動的に発呼すると共に（Ｓ５１１）、表示部１０６の表示画面を１８０°反転させ（Ｓ５０９）、さらに表示画面に電話の発信画面２０３を表示する（Ｓ５１３）。そして、発信先との通話確立ができた場合には（Ｓ５１５）、表示部１０６に通話中の表示画面２０４を表示し、また、発信先との通話確立ができなかった場合には（Ｓ５１５）、通話確立をしようとしていた呼を切断し（Ｓ５１９）、表示部１０６に待ち受け画面２０１を表示する（Ｓ５２１）。
【００２３】
このように、本発明によれば、電話帳の中から発信先を選択したあと、電話をかけるのに有効な開状態とするための開動作と合わせて発呼動作を同時に行うことができるため、電話をかける際の手間を省くことができる。
次に、図７に示すように、携帯電話機１００が開状態であって（Ｓ６０１）、通話中である場合には（Ｓ６０３）、表示部１０６に通話中の表示画面２０４を表示し、この状態で開状態から閉状態とすると（Ｓ６０７）、通話を保留状態とし、表示部１０６にメニュー画面２０５を表示する（Ｓ６０９）。
【００２４】
次いで、Ｓ６０９に続く処理を図８を基に説明する。
メニュー画面２０５のメニュー項目の中から起動させたいアプリケーションを選択する。
例えば、電話帳に登録してある通話相手以外の人の電話番号やメールアドレス等を確認したい場合、３方向レバー１０３ａの操作によって電話帳機能を選択し（Ｓ７０１）、３方向レバー１０３ａを押下すると（Ｓ７０９）、表示部１０６に電話帳画面２０２を表示する（Ｓ７１７）。
メモ帳に書き込んである情報を閲覧したい場合、３方向レバー１０３ａの操作によってメモ帳機能を選択し（Ｓ７０３）、３方向レバー１０３ａを押下すると（Ｓ７１１）、表示部１０６に不図示のメモ帳画面を表示する（Ｓ７１９）。
スケジュール帳に書き込んである情報を閲覧したい場合、３方向レバー１０３ａの操作によってスケジュール帳機能を選択し（Ｓ７０５）、３方向レバー１０３ａを押下すると（Ｓ７１３）、表示部１０６に不図示のスケジュール帳画面を表示する（Ｓ７２１）。
メールの履歴を閲覧したい場合、３方向レバー１０３ａの操作によってメール機能を選択し（Ｓ７０７）、３方向レバー１０３ａを押下すると（Ｓ７１５）、表示部１０６に不図示のメール履歴画面を表示する（Ｓ７２３）。
【００２５】
このように、本発明によれば、通話中に携帯電話機１００に備える各種アプリケーション中の情報を確認したくなった場合、開状態から閉状態とすることで通話を保留状態とし、回線をわざわざ切断することなく各種アプリケーション中の情報を確認することができる。
そして、閉状態でアプリケーション中における情報の確認が完了し、アプリケーションの起動中又は終了後に携帯電話機１００を再度開状態とすると（Ｓ７２５）、表示部１０６を通話中の表示画面２０４に切り換えると共に、通話の保留状態を解除し、通話を続けることができる。
【００２６】
以上、本実施形態では携帯電話機を例にとって説明したが、この他、ＰＤＡなど電話機能を備えた携帯端末装置にも本発明を適用できることは言う迄もない。
また、本発明は上述した実施形態だけに限定されるものではなく、本発明の要旨を逸脱しない範囲で改良や変更したものにも適用できることは言う迄もない。
【００２７】
【発明の効果】
以上のように、本発明の携帯端末装置によれば、手間をかけずに発呼動作を行うことができると共に、通話中に携帯端末装置が備える各種アプリケーション中における情報を確認することができ、従来のようにわざわざ電話を切って確認する必要がない。
【図面の簡単な説明】
【図１】本発明の携帯端末装置の一例である携帯電話機の閉じた状態を示す図で、（ａ）は正面図、（ｂ）は左側面図。
【図２】本発明の携帯端末装置の一例である携帯電話機の開いた状態を示す図で、（ａ）は正面図、（ｂ）は背面図。
【図３】本発明の携帯端末装置の一例である携帯電話機の開いた状態を示す図で、（ａ）は左側面図、（ｂ）は右側面図。
【図４】本発明の携帯端末装置の一例である携帯電話機の回路ブロック図。
【図５】本発明の携帯端末装置の一例である携帯電話機における各種アプリケーションの画面であり、（ａ）は待ち受け画面、（ｂ）は電話帳画面、（ｃ）は電話の発信画面、（ｄ）は通話中の表示画面、（ｅ）はメニュー画面。
【図６】本発明の携帯端末装置の一例である携帯電話機の動作を説明するためのフローチャート。
【図７】本発明の携帯端末装置の一例である携帯電話機の動作を説明するためのフローチャート。
【図８】本発明の携帯端末装置の一例である携帯電話機の動作を説明するためのフローチャート。
【符号の説明】
２１      無線部
２２      各種アプリケーション部
２３      制御部
２５      開閉検出部
２６      メモリ
１００    携帯電話機
１０１ａ  表示部側筐体
１０１ｂ  操作部側筐体
１０３    補助的操作部
１０３ａ  ３方向レバー
１０３ｂ  サイドキー
１０４    軸
１０５    アンテナ
１０６    表示部
１０６ａ  表示面
１０７ａ，１０７ｂ  スピーカー
１０８    マイク
【図１】
2004260617.tif 000003
【図２】
2004260617.tif 000004
【図３】
2004260617.tif 000005
【図４】
2004260617.tif 000006
【図５】
2004260617.tif 000007
【図６】
2004260617.tif 000008
【図７】
2004260617.tif 000009
【図８】
2004260617.tif 000010